(57)【要約】【課題】製造コストが安価で、しかも限られた個数ずつ取り出すことができ、中身を衛生的に保つことのできる、優れた錠剤容器を提供する。【解決手段】一部が切り欠かれた容器本体１と、その切欠き開口を蓋する蓋体２とを有し、上記蓋体は、容器本体１の切欠き開口縁部の一端から薄肉のヒンジ部Ａを介して一体的に形成されており、その蓋体に設けられたヒンジ部Ｂを容器本体１の内側に押し込むことにより、ヒンジ部Ｂ形成部分から蓋体２の前端縁にいたる部分が上記切欠き開口から外れて回動し、上記切欠き開口から外側に向かって傾斜して錠剤取り出し用の小開口を形成するとともに、容器本体１の内側に押し込まれたヒンジ部Ｂが、上記容器本体１に設けられた小片の先端に接近して、容器本体１内の錠剤が上記小開口に移動することを阻止するようになっている。【選択図】図１
2006143256.tif 000002
【特許請求の範囲】
【請求項１】
錠剤を収容するための容器であって、その少なくとも一面が切り欠かれて開口が形成された多面体形状の容器本体と、上記容器本体の切欠き開口縁部の一端に、ヒンジ部Ａを介して回動自在に設けられ、上記切欠き開口縁部の所定部分と係合して切欠き開口を蓋する蓋体とを備え、上記蓋体の、上記ヒンジ部Ａとは反対側の所定部分が、ヒンジ部Ｂを介して屈曲自在に形成されており、上記所定部分を容器本体の内側に押し込むことにより、その所定部分から蓋体の端縁にいたる部分が、容器本体の切欠き開口から外れて外側に向かって傾斜し、錠剤取り出し用の小開口を形成するとともに、容器本体の内側に押し込まれた所定部分が、容器本体内の錠剤が上記小開口に移動することを阻止するようになっており、上記蓋体の、外側に傾斜した部分を元に戻すことにより、容器本体の内側に押し込まれた所定部分が元の状態に復元されるようになっていることを特徴とする錠剤容器。
【請求項２】
請求項１記載の容器本体が、左右両側壁と前後壁と天井壁を有し、底壁は切り欠かれて開口した形状になっているとともに、上記前壁および天井壁の少なくとも一部から容器本体の内側に向かって小片が突設されており、請求項１記載の蓋体が、後壁の下端縁から薄肉のヒンジ部Ａを介して一体的に形成され、左右両側壁内側の前方に設けられた係合手段と係合することにより切欠き開口を上向きに蓋するようになっており、上記蓋体の、上記係合手段と係合する被係合部の後側近傍に、蓋体を横切るように薄肉のヒンジ部Ｂが設けられ、上記ヒンジ部Ｂを容器本体の内側に押し込むことにより、ヒンジ部Ｂ形成部分から蓋体の前端縁にいたる部分が上記切欠き開口から外れて上記切欠き開口との係合部を回転中心として回動し、上記切欠き開口から外側に向かって傾斜して錠剤取り出し用の小開口を形成するとともに、容器本体の内側に押し込まれたヒンジ部Ｂが、上記容器本体に設けられた小片の先端に接近して、容器本体内の錠剤が上記小開口に移動することを阻止するようになっている請求項１記載の錠剤容器。
【請求項３】
請求項１記載の容器本体が、左右両側壁と後壁と底壁を有し、前壁と天井壁は切り欠かれて開口した形状になっており、請求項１記載の蓋体が、後壁の上端縁から薄肉のヒンジ部Ａを介して一体的に形成され、左右両側壁内側の後壁側から前方に向かって所定長の部分に設けられた係合手段と係合することにより切欠き開口を下向きに蓋するようになっており、上記蓋体の前側に、前後左右の４辺からなる四角形状の境界線を介して上方に突出する突出部が設けられ、上記境界線のうち左右と後の３辺の境界線が薄肉のヒンジ部Ｂに形成されており、上記ヒンジ部Ｂで囲われた突出部を容器本体の内側に押し込むことにより、ヒンジ部Ｂに形成されていない前辺の境界線から蓋体の前端縁にいたる部分が、上記切欠き開口から外れて外側に向かって傾斜し、錠剤取り出し用の小開口を形成するとともに、容器本体の内側に押し込まれ凹状に反転した突出部の頂部が、容器本体内の錠剤が上記小開口に移動することを阻止するようになっている請求項１記載の錠剤容器。
【発明の詳細な説明】
【技術分野】
【０００１】
本発明は、錠剤を収容するための容器に関するものである。
【背景技術】
【０００２】
従来から、糖衣錠やタブレットタイプの錠剤を収容する容器としては、ボトルタイプのものが汎用されている。しかし、ボトルタイプの容器は嵩張って携帯には不便なため、最近は、携帯用として、薄型のプラスチック容器が多く出回っている。また、薬に限らず、タブレットタイプのラムネ菓子やミント剤、粒状ガム等、携帯して気軽に口にする菓子が人気であり、これらを収容する携帯タイプの容器として、さまざまなものが提案されている（例えば、特許文献１参照）。
【特許文献１】特開２００４−２６２４９５公報
【発明の開示】
【発明が解決しようとする課題】
【０００３】
このものは、口の狭い小さなノズル部を容器本体に起倒自在に設け、このノズル部から錠剤を少しずつ取り出すことができるようにしたものであるが、このノズル部を含む部材の形状が複雑で、製造コストが高いという問題がある。また、上記ノズル部を、錠剤取り出しの都度、いちいち９０°起立させたり倒したりしなければならず、煩雑であるという問題もある。さらに、上記ノズル部から錠剤が余分に出てしまった場合、これを、上記ノズル部の狭い開口から中に戻さなければならず、手間を要するという問題もある。しかも、湿った指で錠剤をつまんで戻すと、中身の錠剤が湿気て衛生的でないという問題もある。
【０００４】
本発明は、このような事情に鑑みなされたもので、製造コストが安価で、しかも限られた個数ずつ取り出すことができ、中身を衛生的に保つことのできる、優れた錠剤容器の提供をその目的とする。
【課題を解決するための手段】
【０００５】
上記の目的を達成するため、本発明は、錠剤を収容するための容器であって、その少なくとも一面が切り欠かれて開口が形成された多面体形状の容器本体と、上記容器本体の切欠き開口縁部の一端に、ヒンジ部Ａを介して回動自在に設けられ、上記切欠き開口縁部の所定部分と係合して切欠き開口を蓋する蓋体とを備え、上記蓋体の、上記ヒンジ部Ａとは反対側の所定部分が、ヒンジ部Ｂを介して屈曲自在に形成されており、上記所定部分を容器本体の内側に押し込むことにより、その所定部分から蓋体の端縁にいたる部分が、容器本体の切欠き開口から外れて外側に向かって傾斜し、錠剤取り出し用の小開口を形成するとともに、容器本体の内側に押し込まれた所定部分が、容器本体内の錠剤が上記小開口に移動することを阻止するようになっており、上記蓋体の、外側に傾斜した部分を元に戻すことにより、容器本体の内側に押し込まれた所定部分が元の状態に復元されるようになっていることを特徴とする錠剤容器を第１の要旨とする。
【０００６】
また、本発明は、そのなかでも、特に、上記容器本体が、左右両側壁と前後壁と天井壁を有し、底壁は切り欠かれて開口した形状になっているとともに、上記前壁および天井壁の少なくとも一部から容器本体の内側に向かって小片が突設されており、蓋体が、後壁の下端縁から薄肉のヒンジ部Ａを介して一体的に形成され、左右両側壁内側の前方に設けられた係合手段と係合することにより切欠き開口を上向きに蓋するようになっており、上記蓋体の、上記係合手段と係合する被係合部の後側近傍に、蓋体を横切るように薄肉のヒンジ部Ｂが設けられ、上記ヒンジ部Ｂを容器本体の内側に押し込むことにより、ヒンジ部Ｂ形成部分から蓋体の前端縁にいたる部分が上記切欠き開口から外れて上記切欠き開口との係合部を回転中心として回動し、上記切欠き開口から外側に向かって傾斜して錠剤取り出し用の小開口を形成するとともに、容器本体の内側に押し込まれたヒンジ部Ｂが、上記容器本体に設けられた小片の先端に接近して、容器本体内の錠剤が上記小開口に移動することを阻止するようになっている錠剤容器を第２の要旨とする。
【０００７】
さらに、本発明は、そのなかでも、特に、上記容器本体が、左右両側壁と後壁と底壁を有し、前壁と天井壁は切り欠かれて開口した形状になっており、蓋体が、後壁の上端縁から薄肉のヒンジ部Ａを介して一体的に形成され、左右両側壁内側の後壁側から前方に向かって所定長の部分に設けられた係合手段と係合することにより切欠き開口を下向きに蓋するようになっており、上記蓋体の前側に、前後左右の４辺からなる四角形状の境界線を介して上方に突出する突出部が設けられ、上記境界線のうち左右と後の３辺の境界線が薄肉のヒンジ部Ｂに形成されており、上記ヒンジ部Ｂで囲われた突出部を容器本体の内側に押し込むことにより、ヒンジ部Ｂに形成されていない前辺の境界線から蓋体の前端縁にいたる部分が、上記切欠き開口から外れて外側に向かって傾斜し、錠剤取り出し用の小開口を形成するとともに、容器本体の内側に押し込まれ凹状に反転した突出部の頂部が、容器本体内の錠剤が上記小開口に移動することを阻止するようになっている錠剤容器を第３の要旨とする。
【発明の効果】
【０００８】
すなわち、本発明の第１の要旨である錠剤容器は、容器の特定の部分を押す、という簡単な動作だけで、錠剤取り出し用の小開口を開閉することができ、しかも、その開動作に伴い、限られた個数を超える錠剤が小開口に移動することを阻止できるようになっている。したがって、本発明の錠剤容器によれば、簡単な動作で、必要な個数分の錠剤だけを簡単に取り出すことができ、余分な錠剤を容器内に戻す等の手間を要しない。そして、容器内の錠剤を衛生的に保つことができる。また、構成も比較的簡単で、安価に提供できるという利点を有する。
【０００９】
そして、本発明の錠剤容器のなかでも、特に、上記第２の要旨である錠剤容器は、容器の底部に設けられた蓋体のヒンジ部Ｂを内側に押し込むだけで、簡単に錠剤取り出し用の小開口を開くことができ、また、その開いた部分を押して閉じるだけで、簡単に元に戻すことができるようになっているため、非常に使い勝手がよい。そして、このものは、容器本体と蓋体が、一体成形されているため、より安価に製造することができる。
【００１０】
また、本発明の錠剤容器のなかでも、特に、上記第３の要旨である錠剤容器は、容器の天井部に設けられた突出部を内側に押し込むだけで、簡単に錠剤取り出し用の小開口を開くことができ、また、その開いた部分を押して閉じるだけで、簡単に元に戻すことができるようになっているため、これも非常に使い勝手がよい。そして、このものも、容器本体と蓋体が、一体成形されているため、より安価に製造することができる。
【発明を実施するための最良の形態】
【００１１】
つぎに、本発明を実施するための最良の形態について説明する。
【００１２】
図１は、本発明の最良の実施形態である実施例を示している。この錠剤容器は、全体形状が、略板状体を縦に立てたような形状をしており、容器本体１と、蓋体２とで構成されている。
【００１３】
上記容器本体１は、左右の側壁３、４と、前後壁５、６と、天井壁７とを有し、底壁は切り欠かれて開口しており、その部分が、蓋体２で蓋されている。そして、上記左右の側壁３、４の下部は、それぞれ図示のように山形に切り欠かれている。また、その山形の切欠き部より前側の下部に、後述する蓋体２側の係合用突起１３、１４を係合するための係合穴８、９がそれぞれ設けられている。さらに、容器本体１内には、前壁５と天井壁７の内側面に２辺を接した略長方形状の小片１０（図２、図３参照）が、垂直に突設されている。
【００１４】
一方、蓋体２は、図２および図３に示すように、容器本体１の後壁６の下端縁から薄肉のヒンジ部Ａを介して、容器本体１の後方に延びる形で一体的に形成されており、矢印のように１８０°回動させ、蓋体２の左右両縁部から立設するガイド片１１、１２を、容器本体１の切欠き開口１ａの開口縁と嵌合させることにより、切欠き開口１ａを蓋するようになっている。
【００１５】
また、上記蓋体２の先端側（図２において右側）には、薄肉のヒンジ部Ｂが、蓋体２を幅方向に横切るように形成されており、そのヒンジ部Ｂから蓋体２の端縁に至る部分に設けられたガイド片１１ａ、１２ａの高さは、前記ガイド辺１１、１２の高さよりも低く設定されている。また、上記ガイド片１１ａ、１２ａの側方には、容器本体１の左右両側壁３、４に設けられた係合穴８、９と係合させるための係合用突起１３、１４が突設されている（１４は隠れて見えない）。
【００１６】
したがって、上記蓋体２を１８０°回動させて、蓋体２のガイド片１１、１２、１１ａ、１２ａを容器本体１の切欠き開口１ａに嵌合させ、係合用突起１３、１４を係合用穴８、９に係合させることにより、図４（ａ）およびそのＸ−Ｘ′断面図である同図（ｂ）に示すように、内側に、錠剤収容空間を備えた容器が構成されるようになっている。このとき、容器本体１内の小片１０の下端と、蓋体２によって形成された容器底面との間で上下方向が規制され、蓋体２のガイド片１１ａ、１２ａによって左右方向が規制された空間内には、図示のように、この容器内に収容される錠剤が、縦に起立した姿勢で２個、前後に並んだ状態で入り込むようになっている。
【００１７】
そして、容器本体１の左右両側壁３、４の山形切欠きに挟まれた蓋体２の部分を、図５において矢印で示すように、下から上に押し上げて、ヒンジ部Ｂを容器本体１内に押し込むようにすると、ヒンジ部Ｂを介してその前後の部分が屈曲し、ヒンジ部Ｂから蓋体２の前端縁にいたる部分が、係合用突起１３、１４と係合穴８、９との係合部を回転中心として下向きに回動する。そして、この部分が容器本体１の切欠き開口１ａ（図３参照）から外れて、斜め下向きに小開口１５が形成される（図６参照）。このとき、左右方向（図では紙面垂直方向）は蓋体２のガイド片１１ａ、１２ａでガイドされている。この小開口１５から、予めこの部分に入り込んでいた２個の錠剤を、手のひら等に取り出すことができる。なお、上記ガイド片１１ａ、１２ａの前端縁は、回動時に前壁５に当たらないよう円弧状に形成されている。
【００１８】
また、このとき、ヒンジ部Ｂを含む所定部分は、屈曲した状態で容器本体１内に入り込み、その内側に突出した頂部が、容器本体１内の小片１０の下端縁に接近した状態となるため、この隙間を、後続の錠剤は通過することができず、上記小開口１５から余分な錠剤が取り出されることはない。
【００１９】
したがって、この錠剤容器によれば、容器の底壁を構成する蓋体２のヒンジ部Ｂを、容器内側に押し込むだけで、簡単に錠剤取り出し用の小開口１５を開くことができ、その小開口１５が形成される部分に入り込んでいた２個の錠剤を、簡単に取り出すことができる。そして、取り出される２個以外の錠剤は、小開口１5 に移動しないよう容器内部で保持されるため、余分な錠剤が取り出されることがなく、錠剤を戻す動作が不要で、容器内を衛生的に保つことができる。そして、錠剤を取り出した後は、容器外側に突出した部分を内側に押して元に戻すだけで、簡単に上記小開口１５を閉じることができる。しかも、このものは、容器本体１と蓋体２が、一体成形されているため、非常に安価に製造することができるという利点を有している。
【００２０】
図７は、本発明の他の実施例を示している。この錠剤容器は、全体形状が、前後方向に長く、上下にやや潰れた略箱形状をしており、容器本体２１と、蓋体２２とで構成されている。
【００２１】
上記容器本体２１は、左右の側壁２３、２４と、後壁２５と、底壁２６とを有し、前壁および天井壁は切り欠かれて開口しており、その部分が、蓋体２２で蓋されている。そして、上記左右の側壁２３、２４は、図示のように、手前側において、緩やかな下り傾斜部を介して後側よりも一段低い部分が形成されている。
【００２２】
一方、蓋体２２は、図８に示すように、容器本体２１の後壁２５の上端縁から薄肉のヒンジ部Ａを介して、容器本体２１の後方に延びる形で一体的に形成されており、矢印のように１８０°回動させ、蓋体２２の左右両縁部から立設するガイド片３１、３２を、容器本体２１の開口縁と嵌合させることにより、容器本体２１の天井壁および前壁に該当する部分を蓋するようになっている。なお、上記ガイド片３１、３２の外側面の根元部には、その立ち上がり線に沿って、所定間隔で凸条３３が形成されており、容器本体２１の左右両側壁２３、２４の内側面の上部に設けられた凹条３４と係合するようになっている。
【００２３】
そして、上記蓋体２２（図７に戻る）の、容器本体２１の天井壁となる部分は、左右両側壁２３、２４の形状に合わせて、高水平部３５と、傾斜部３６と、低水平部３７の３つの部分を有し、上記低水平部３７の下の空間内に、錠剤が２個、左右に並んだ状態で入り込むようになっている。
【００２４】
上記傾斜部３６には、図９に示すように、前後左右の４辺からなる四角形状の境界線３８〜４１を介して、その傾斜面から上方に突出する突出部４２が設けられており、そのうち、後の境界線３８は、高水平部３５と傾斜部３６との境界線上にあり、前の境界線３９は、傾斜部３６と低水平部３７との境界線上にある。そして、上記４本の境界線３８〜４１のうち、左右と後の３辺の境界線３８、４０、４１が、薄肉のヒンジ部Ｂ（図において××…で示す）に形成されており、上記ヒンジ部Ｂで囲われた突出部４２を容器本体２１の内側に押し込んで凹状に反転させると、図１０において鎖線で示すように、ヒンジ部Ｂに形成されていない前辺の境界線３９から蓋体２１の前端縁にいたる部分（低水平部３７＋容器本体２１の前壁となる部分）４３が、外側に向かって傾斜し、錠剤取り出し用の小開口４４が形成されるようになっている（図１１参照）。なお、突出部４２の頂部を形成する境界線４５も、反転容易性を考慮して薄肉のヒンジに形成されている。
【００２５】
これにより、低水平部３７の下に入り込んでいた２個の錠剤を取り出すことができる。また、この状態において、容器本体２１の内側に押し込まれ凹状に反転した突出部４２の頂部（境界線４５の部分）は、低水平部３７の天井の高さよりさらに低く下向きに突出するため、この頂部によって、容器本体２１内の他の錠剤は、上記小開口４４に移動することが阻止されるようになっている。
【００２６】
したがって、上記錠剤容器によれば、容器の天井壁を構成する蓋体２２のヒンジ部Ｂを、容器内側に押し込むだけで、簡単に錠剤取り出し用の小開口４４を開くことができ、その小開口４４が形成される部分に入り込んでいた２個の錠剤を、簡単に取り出すことができる。そして、取り出される２個以外の錠剤は、小開口４４に移動しないよう容器内部で保持されるため、余分な錠剤が取り出されることがなく、錠剤を戻す動作が不要で、容器内を衛生的に保つことができる。そして、錠剤を取り出した後は、容器外側に突出した部分を内側に押して元に戻すだけで、簡単に上記小開口４４を閉じることができる。しかも、このものは、容器本体２１と蓋体２２が、一体成形されているため、非常に安価に製造することができるという利点を有している。
【００２７】
なお、本発明の錠剤容器に収容する錠剤は、狭義の「錠剤」の他、タブレットタイプの菓子、ミント剤、粒状ガム等、各種の粒状体を包含するものである。そして、本発明の錠剤容器において、小開口１５、４４を形成するために開閉する部分の大きさは、その内側に入り込ませる錠剤の量（一回に取り出すべき量）に応じて、適宜に設定することができる。
【００２８】
また、本発明において、容器本体１、２１および蓋体２、２２の形状は、上記２つの実施例に限らず、容器本体１、２１が多面体形状であって、その少なくとも一面が切り欠かれて開口が形成されたものであり、蓋体２、２２が、上記容器本体１、２１の切欠き開口（図１、図３における１ａ）を蓋する形状になっていれば、どのような形状であっても差し支えない。また、容器を構成する面の少なくとも一つが部分球のような曲面で構成されているような形状であってもよい。
【００２９】
そして、容器本体１、２１に対し、上記２つの実施例では、蓋体２、２２を、薄肉のヒンジ部Ａを介して一体的に形成することにより、製造コストを低減化しているが、場合によっては、容器本体１、２１と蓋体２、２２を別部材で構成し、上記ヒンジ部Ａを、ヒンジピンとヒンジ穴による連結構造とすることができる。また、特に、第１の実施例において、小開口１５を形成するために蓋体２に設けられるヒンジ部Ｂを、ヒンジピンとヒンジ穴による連結構造として、その部分を２つの部材に分割することができる。このようにすると、部品点数が増えてややコストが上昇するが、それでも機能性が高く、従来品に比べてコスト的に有利であるといえる。
【００３０】
なお、上記容器本体１、２１および蓋体２、２２の材質は、両者を一体的に形成する場合は、ヒンジ部Ａ，Ｂにおいて繰り返し屈曲性が要求されるため、ポリプロピレン等で製造することが好適である。また、ヒンジピンとヒンジ穴による連結構造を用いる場合は、ＡＢＳ、ＡＳ、スチロール樹脂等を用いることが好適である。
【図面の簡単な説明】
【００３１】
【図１】本発明の一実施例を示す斜視図である。
【図２】上記実施例において、蓋体を開いた状態を示す斜視図である。
【図３】図２の縦断面図である。
【図４】（ａ）は図１の縦断面図、（ｂ）は（ａ）のＸ−Ｘ′断面図である。
【図５】上記実施例において、錠剤を取り出す状態を示す縦断面図である。
【図６】図５の斜視図である。
【図７】本発明の他の実施例を示す斜視図である。
【図８】上記他の実施例において、蓋体を開いた状態を示す斜視図である。
【図９】上記他の実施例の要部拡大平面図である。
【図１０】上記他の実施例において、錠剤を取り出す状態を示す縦断面図である。
【図１１】図１０の斜視図である。
【符号の説明】
【００３２】
１  容器本体
２  蓋体
【図１】
2006143256.tif 000003
【図２】
2006143256.tif 000004
【図３】
2006143256.tif 000005
【図４】
2006143256.tif 000006
【図５】
2006143256.tif 000007
【図６】
2006143256.tif 000008
【図７】
2006143256.tif 000009
【図８】
2006143256.tif 000010
【図９】
2006143256.tif 000011
【図１０】
2006143256.tif 000012
【図１１】
2006143256.tif 000013